(57)【要約】【課題】他人に撮影を依頼した場合に、その依頼相手の撮影熟練度に拘わらず、像振れのない満足な写真を得られるようにする。【解決手段】撮像依頼モード（お願いモード）が設定されると、像振れを軽減するための措置である常時ＡＦ、光学式像振れ補正（ＶＲ）および高速シャッタプログラムＡＥが強制的に実行される。撮影者（依頼相手）がレリーズボタンの２段階操作を行った場合は、ＶＲおよび高速シャッタプログラムＡＥは実行しないようにしてもよい。【選択図】図３
2013175920.tif 000002
【特許請求の範囲】
【請求項１】
被写体を撮像する撮像部と、
撮像を依頼するための撮像依頼モードを設定するモード設定部と、
前記撮像依頼モードが設定されている場合に、前記撮像部による撮像時における像振れを抑制する動作を実行させる制御部とを具備することを特徴とする撮像装置。
【請求項２】
請求項１に記載の撮像装置において、
自動焦点調節動作を行う自動焦点調節部と、
前記自動焦点調節動作が完了しているか否かを判定する判定部とを更に備え、
前記制御部は、
前記撮像依頼モードが設定されている場合において、撮像指示がなされた時点で前記判定部により前記自動焦点調節動作が完了していないと判定された場合は、前記像振れを抑制する動作を強制的に行い、
前記撮像依頼モードが設定されている場合において、撮像指示がなされた時点で前記判定部により前記自動焦点調節動作が完了していると判定された場合は、該動作の実行を行わないことを特徴とする撮像装置。
【請求項３】
請求項１または２に記載の撮像装置において、
自動焦点調節動作を行う自動焦点調節部と、
自動焦点調節動作が完了しているか否かを判定する判定部とを更に備え、
前記モード設定部は、
前記撮像依頼モードが設定されている場合において、撮像指示がなされた時点で前記判定部により前記自動焦点調節動作が完了していないと判定された場合は、記録用画像の撮像が実行された後も前記撮像依頼モードを維持し、
前記撮像指示がなされた時点で前記判定部により前記自動焦点調節動作が完了していると判定された場合は、その後の撮像に伴って前記撮像依頼モードを解除することを特徴とする撮像装置。
【請求項４】
請求項１〜３のいずれか１項に記載の撮像装置において、
前記像振れを抑制する動作は、撮像指示に先立って自動焦点調節を繰り返し行う動作を含むことを特徴とする撮像装置。
【請求項５】
請求項１〜４のいずれか１項に記載の撮像装置において、
前記像振れを抑制する動作は、撮像装置の振れを検出し、その検出結果に基づいて像振れ補正部材を光軸と交差する方向に駆動する動作を含むことを特徴とする撮像装置。
【請求項６】
請求項１〜５のいずれか１項に記載の撮像装置において、
前記像振れを抑制する動作は、露光時間が通常よりも短くなるように露出パラメータを設定する動作を含むことを特徴とする撮像装置。
【請求項７】
請求項１〜６のいずれか１項に記載の撮像装置において、
人物を識別するための識別情報を登録する登録部と、
前記登録された前記識別情報に対応する人物が被写体として存在するか否かを判定する人物判定部とを更に備え、
前記制御部は、前記人物判定部により前記登録された人物が被写体として存在すると判定した場合に、前記モード設定部に撮像を依頼するための撮像依頼モードを設定させることを特徴とする撮像装置。
【請求項８】
請求項１〜６のいずれか１項に記載の撮像装置において、
人物を識別するための識別情報を登録する登録部と、
前記登録された前記識別情報に対応する人物が被写体として存在するか否かを判定する人物判定部とを更に備え、
前記制御部は、
前記撮像依頼モードが設定され、かつ前記人物判定部が前記登録された人物が被写体として存在すると判定した場合に、前記像振れを抑制する動作を実行させることを特徴とする撮像装置。
【請求項９】
請求項１〜８のいずれか１項に記載の撮像装置において、
前記撮像依頼モードにおいて、撮像のタイミングを被撮影者に報知する報知部を更に備えることを特徴とする撮像装置。
【発明の詳細な説明】
【技術分野】
【０００１】
本発明は、電子カメラ等の撮像装置に関し、特に他人に撮影を依頼するときの便宜を図ったものである。
【背景技術】
【０００２】
観光地等において、たまたま居合わせた人にカメラを渡して自分らの写真を撮ってもらうことがよくある。しかし、撮影を依頼した相手の撮影熟練度が分からないため、満足な写真が撮れたかどうか不安であり、実際不満足な写真だったということも少なからずある。その対策として、他人に撮影を依頼するときは、不要な操作を受け付けないようにしたり（例えば、特許文献１）、撮影操作に伴ってＡＥ動作およびＡＦ動作を即座に行って撮影する撮像依頼モードを設ける（例えば、特許文献２）といった試みがなされている。
【先行技術文献】
【特許文献】
【０００３】
【特許文献１】特開２００４−２７１５７０号公報
【特許文献２】特開２００７−３０６４１８号公報
【発明の概要】
【発明が解決しようとする課題】
【０００４】
熟練度の低い撮影者が起こす典型的な失敗写真の例として、像ブレやフレーミングエラーの発生が挙げられる。像ブレは手振れや被写体の移動に起因するもので、像ブレはカメラの構え方の不備や、振れ防止に対する意識の欠如、長すぎるシャッタ速度等により発生し、フレーミングエラーはレリーズボタンを押した直後に撮影が完了したものと勘違いし（実際にはレリーズタイムラグがある）、露光完了前にカメラを動かしてしまうことなどで発生する。上記特許文献１，２のカメラでは、他人に撮影を依頼したときに、像ブレの発生を効果的に抑制することはできない。
【課題を解決するための手段】
【０００５】
本発明による撮像装置は、被写体を撮像する撮像部と、撮像を依頼するための撮像依頼モードを設定するモード設定部と、撮像依頼モードが設定されている場合に、撮像部による撮像時における像ブレやフレーミングエラーを抑制する動作を実行させる制御部とを具備することを特徴とする。
【発明の効果】
【０００６】
本発明によれば、他人に撮影を依頼した場合、その依頼相手の撮影熟練度に拘わらず、像ブレやフレーミングエラーのない満足な写真を得ることが可能となる。
【図面の簡単な説明】
【０００７】
【図１】本発明の一実施形態における電子カメラの制御ブロック図。
【図２】制御ユニットの処理手順を示すフローチャート。
【図３】図２の「お願いモード処理」の詳細を示すフローチャート。
【図４】図２の「非お願いモード処理」の詳細を示すフローチャート。
【図５】図２の撮影処理の詳細を示すフローチャート。
【図６】制御ユニットの他の処理手順を示すフローチャート。
【図７】図６の「お願いモード処理２」の詳細を示すフローチャート。
【図８】図６の撮影処理２の詳細を示すフローチャート。
【発明を実施するための形態】
【０００８】
−第１実施形態−
図１〜図５により本発明の第１実施形態を説明する。
図１において、撮影レンズ１は、撮影画角を変更するズームレンズ１ａ、焦点調節用のフォーカシングレンズ１ｂ、像振れ軽減用の振れ補正レンズ１ｃ、シャッタ１ｄ、絞り１ｅ等を含んでいる。２はカメラの振れを検出する振れセンサである。
【０００９】
フォーカス制御回路３は、ＡＦ（オートフォーカス）制御時に、制御ユニット２０からの指示に応じてフォーカシングレンズ１ｂを駆動し、焦点調節を行う。制御ユニット２０は、カメラに予め設定されているＡＦモードに応じてフォーカス制御回路３に焦点調節の指示を出力し、その後にレリーズボタンのレリーズ操作（全押し操作）に伴って撮像を行う。ＡＦモードとしてコンティニュアスモードが設定されている場合には電源スイッチＯＮにより焦点調節が開始される。シングルモードが設定されている場合には、レリーズ半押し操作により焦点調節が開始される。なお、制御ユニット２０は、レリーズ操作されたときにＡＦが完了していない場合、例えば、レリーズボタンを無操作状態から一気に全押し操作した場合は、ＡＦの完了を待って撮像を行う。
【００１０】
ＡＦの一例として、コントラストＡＦがある。これは、撮像によって得られた画像信号のうち所定のＡＦエリア内の信号から焦点評価値を演算し、その焦点評価値がピークとなる位置（以下、ピーク位置）を見つけて合焦位置と判断し、その位置にフォーカシングレンズを駆動するというものである。
【００１１】
なお、位相差方式のＡＦを搭載することもできる。あるいは、位相差式ＡＦとコントラスト式ＡＦの双方を搭載してハイブリッド型のＡＦを搭載してもよい。
【００１２】
振れ補正駆動回路４は、制御ユニット２０からの指示に応じて振れ補正レンズ１ｃを駆動し、像振れの軽減を図る。具体的には、振れセンサ２で検出されたカメラ振れ量に基づき、像振れを相殺する方向（光軸と直交する方向）に振れ補正レンズ１ｃを駆動する。
シャッタ制御回路５は、制御ユニット２０からの指示に応答してシャッタ１ｄを駆動し、露光時間を制御する。絞り制御回路６は、制御ユニット２０からの指示に応じて絞り１ｅを駆動し、シャッタ１ｄの通過光量を調整する。ズーム制御回路７は、制御ユニット２０からの指示に応じてズームレンズ１ａを駆動し、撮影画角を変更する。
【００１３】
撮影レンズ１を透過した被写体光束は、ＣＣＤ等の撮像素子８に入射する。入射した被写体像は撮像素子８により光電変換され、電荷として蓄積される、すなわち、撮像（露光）が行われる。撮像制御回路１０は、撮像素子８による光電変換処理や、その変換出力である電気的にアナログの画像信号の出力等を制御する。映像回路９は、電気的にアナログの画像信号を増幅するとともに、デジタル画像信号に変換して制御ユニット２０に出力する。制御ユニット２０は、デジタル画像信号に種々の画像処理を施し、記録用の画像データ、または、モニタ用の画像データを生成する。モニタ用の画像データは、モニタ制御回路１４を介してモニタ、例えば、液晶モニタ１５に画像として表示することができる。
【００１４】
撮影モード時には、上記モニタ用の画像の撮像が繰り返され、その都度得られるモニタ用の画像データに基づく画像がモニタ１５に逐次更新表示される。この逐次更新表示は、ライブビュー表示またはスルー画表示と呼ばれ、撮影者はその表示画像を見ながら構図を決定する。ライブビュー表示では、カメラに設定されているＡＦモードとＡＥモードに基づいて焦点調節制御と露出制御が行われる。レリーズ操作がなされると、改めて記録用の画像の撮像が行われ、それによって生成された記録用の画像データは、必要に応じて制御回路により圧縮された後、コンピュータで扱うことが可能な画像ファイルとして、メモリ制御回路１６を介して記録媒体１７に記録される。記録媒体１７は、例えばカメラに抜き差し可能なメモリカードが用いられる。
【００１５】
再生モードでは、記録媒体１７に記録された画像データをメモリ制御回路１６を介してバッファメモリ１２に読み出し、制御ユニット２０による画像処理を経た後、モニタ制御回路１４を介してモニタ１５に画像として表示することができる。
【００１６】
不揮発性メモリ（ＲＯＭ）１１は、制御ユニット２０によって実行されるプログラムや、制御データ等を格納する。例えば、後述する図２〜図５のフローチャートに示す処理を実行するためのプログラムも不揮発性メモリ１１に格納されている。バッファメモリ１２は、画像処理過程の画像データ、画像処理後の画像データ、圧縮後の画像データ、その他の処理過程にあるデータを一時的に記憶する。
【００１７】
セルフＬＥＤ２１は、カメラ前面に設けられ、セルフタイマ撮影における撮影待機時間中に制御ユニット２０の指示に基づいて、点滅するよう駆動される。閃光装置３０は、制御ユニット２０の指示に基づいて、閃光撮影時に発光して被写体を照明する。
【００１８】
操作検出回路１３は、電源スイッチやレリーズスイッチを始めとする種々の操作スイッチ（１３ａ，１３ｂ，・・・）の操作状況を検出し、検出結果を制御ユニット２０に伝達する。制御ユニット２０は、操作検出回路１３の検出結果に応じて上述の各回路等を制御し、撮像、再生、モード設定、ＡＦ（自動焦点調節制御）、ＡＥ（自動露出制御）、ＡＷＢ（自動ホワイトバランス）、像振れ補正、その他のカメラ動作を実行する。
【００１９】
ここで、本実施形態のカメラは、観光地等で他人に撮影（撮像）を依頼するのに好適なお願いモード（撮像依頼モード）が設定可能である。お願いモードは、所定の手動操作に応じて制御ユニット２０がその設定／解除を切換える。ここでいう「設定」は、例えばお願いモードを示すフラグ（お願いフラグと呼ぶ）をバッファに一時記憶することを意味し、「解除」はそのフラグを削除することを意味する。制御ユニット２０は、このフラグの記憶の有無によりお願いモードの設定の有無を判定する。
【００２０】
お願いモードが設定されると、すなわち、制御ユニット２０がお願いフラグがセットされたことを判定すると、撮影モードにおいて、そのときのカメラの撮影条件設定状況に拘わらず、強制的に以下の（１）〜（６）の機能を実行するように各種回路、機器を駆動制御する。
（１）常時ＡＦ
（２）光学式像振れ補正（Vibration Reduction：以下、ＶＲ）
（３）高速シャッタプログラムＡＥ
（４）顔認識処理
（５）人物＋風景モードの設定
（６）自動ズーム
【００２１】
（１）の常時ＡＦは、ＡＦ制御の一形態であり、いわゆるコンティニュアスＡＦと呼ばれているＡＦである。制御ユニット２０は、常時ＡＦが設定されていることを判定すると、レリーズボタンの操作を待たずに、被写体にピントを合わせるＡＦ動作を繰り返し行うように各種回路、機器を駆動制御する。ここで、ＡＦ動作とは、撮像素子８の像面における被写体像の結像状態を演算するＡＦ演算と、ＡＦ演算により得られたレンズ駆動量に応じたフォーカシングレンズ１ｂの駆動制御を含む動作である。常時ＡＦが設定されているときは、常時ＡＦが非設定のとき（後述する）と比べてレリーズ操作時には既に被写体にピントが合っている可能性が高く、レリーズ操作後のＡＦ動作を省略あるいは短縮できる。したがって、レリーズ操作から露光までのタイムラグを最小限に短くでき、レリーズ操作後直ぐにカメラを動かしたとしても、それに起因する像振れの発生を抑制できる。
【００２２】
因みに、常時ＡＦが非設定のときは、いわゆるシングルＡＦとなり、レリーズボタンの半押し操作でＡＦ動作を開始し、合焦と判定した制御ユニット２０はその後のＡＦ動作を中止する。この場合は、常時ＡＦが設定されているときと比べてレリーズ操作（全押し操作）したときにピントが合っていない可能性が高く、レリーズ操作後もＡＦ動作が続行し、レリーズタイムラグが長くなる。このため、レリーズ操作後直ぐにカメラを動かすと、像振れが発生し易い。
【００２３】
（２）のＶＲは、撮影像の振れを光学的に軽減する機能である。制御ユニット２０は、振れセンサ２の出力に基づいて振れ補正駆動回路４を駆動制御し、像振れ補正レンズ１ｃを光軸と直交する方向に駆動する。これにより、撮影像の振れが光学的に軽減され、振れが抑制された撮影像が撮像素子８に入射する。したがって、ＶＲを実行させるモードを設定して撮影を行うことで、レリーズ操作時にカメラが動いても像振れを軽減できる。ＶＲを実行させる設定もフラグセットにより行うことができる。
【００２４】
なお、像振れ補正レンズ１ｃの駆動に代えて、撮像素子８を駆動して像振れを軽減するタイプのものでもよい。このタイプでは、撮像素子８に入射する撮影像は振れが抑制されていないが、撮影像の振れに応じて撮像素子が位置制御されるので、撮像素子８の受光面には振れが抑制された撮影像が入射される。
【００２５】
（３）の高速シャッタプログラムＡＥは、ＡＥ制御の一形態である。ＡＥ制御は、被写界の輝度を検出し、その輝度に基づいて、適正露出を得るための露出制御パラメータ（絞り値、露光時間、撮影感度ゲイン）を自動設定するものである。具体的に説明すると、パラメータに対応するデータがプログラム線図としてＲＯＭ１１に記録されており、制御ユニット２０は、検出した輝度に対応するデータを特定し、特定したデータに対応するパラメータとなるように、各回路、機器を制御する。高速シャッタプログラムＡＥは、動きのある被写体などを撮影する撮影条件で使用されるプログラム線図の一種であり、人物モードや風景モードなど、比較的動きの少ない被写体の撮影に適した他のプログラム線図を使用するプログラムＡＥ（以下では通常ＡＥと呼ぶ）よりも露光時間が短くなるように、すなわちシャッタ秒時が速くなるように各パラメータが設定される。
【００２６】
高速シャッタプログラムＡＥのプログラム線図は、例えば、絞りを開放とするとともに、撮影感度ゲインを上限値に設定することで、露光時間を最大限短くするように定められている。これにより、像振れ軽減効果を更に高めることができる。また、上述した光学式像振れ補正は、カメラ振れ（主に手振れ）に起因する像振れしか軽減できないが、高速シャッタプログラムＡＥは、被写体振れに起因する像振れの軽減にも寄与する。
【００２７】
（４）の顔認識処理は、制御ユニット２０が公知の顔認識技術を用いて画面内の人物の顔を認識し、顔にピントや露出が合うようにＡＥ、ＡＦ等を行うものである。他人に撮影を依頼するときは、殆どのケースで被写体は撮影を依頼する人物（自分）を含むことが予想される。したがって、お願いモードが設定された場合は、顔認識処理を行って人物に対する見栄えの良い写真が得られるようにする。例えば、顔にピントが合わなかったり、顔の露出が不適正になるといった不都合を回避できる。
【００２８】
（５）の「人物＋風景モード」は、シーンモードの一つである。シーンモードには、他に「人物モード」，「風景モード」、「マクロモード」などの複数のモードがあり、通常はいずれかのモードを手動で設定する。各種シーンモードの設定もフラグ設定で行うことができる。制御ユニット２０は、設定されたフラグに基づき、そのシーンに適した露出等で撮影を行う。他人に撮影を依頼するときは、人物だけでなく背景も重要となることが多いので、「人物＋風景モード」が適している。このモードでは、人物と背景の双方にピントが合うように、人物モードなどよりも絞り値を大きくする（絞りを絞り込む）と同時に、撮像後の制御ユニット２０による画像処理によって輝度（明るさ）のダイナミックレンジを擬似的に広げることで、白飛びや黒つぶれを抑制する。
【００２９】
ここで、「人物＋風景モード」では、輝度が同一の場合に「人物モード」や「風景モード」に比べて絞り１ｅが絞り込まれるため、「人物モード」や「風景モード」に比べてプログラムＡＥではシャッタ秒時が低速側に設定される。しかし、本発明の撮像装置の第１実施形態では、お願いモードが設定されると上述したように高速シャッタプログラムＡＥが設定されるので、同一輝度の撮影条件下において露光時間（シャッタ秒時）がより高速側に設定されたプログラム線図が選択される。このように、お願いモードでは、シャッタ速度が高速側に設定されるものの、絞りが絞り込み側に制御されるので、露光量が不足するおそれがある。そこで、露光量が不足する場合に感度ゲインを高くすることにより、適正露出を維持するようにする。
【００３０】
（６）の自動ズームは、適切な画角となるようにカメラが自動でズーミングを行う機能である。制御ユニット２０は、ピントを合わせた被写体（人物）までの距離を検出し、その距離に基づいて、人物が好適なサイズで、かつ背景も十分映り込むような撮影レンズ１の焦点距離を演算し、その焦点距離となるようにズームレンズ１ａを駆動する。たとえば、人物のサイズが常に一定となるように撮影画角を決定することができる。
あるいは、被写体距離（人物までの距離）がある程度以上長い場合は、背景重視の意志があると判断して人物が小さく写るように、逆に被写体距離がある程度以上短い場合は、人物重視の意志があると判断して人物が大きく写るように焦点距離を設定するようにしてもよい。
【００３１】
さらに、人物のサイズ（人物と背景との比率）を予めユーザが選択できるようにしてもよい。画角設定にあたっては、いわゆる電子ズームを併用してもよい。このような自動ズームを用いれば、撮影を依頼する相手の熟練度に拘わらず好適な画角で撮影が行える。
【００３２】
第１実施形態では、お願いモードを設定するだけで上記の各種機能が実行されるので、個々の機能の設定をいちいち変更する必要がなく、直ぐに撮影を依頼できる。
【００３３】
図２〜図５は、上述の制御を実現するための制御ユニット２０による処理手順の一例を示している。
カメラの電源スイッチのオン操作に伴って制御ユニット２０は、図２〜図５に示す処理を実行するためのプログラムをフラッシュＲＯＭ１１から読み出し実行する。図２のステップＳ１で制御ユニット２０は、システムの初期化を行う。ステップＳ２では、レンズを初期位置へ移動させるよう制御する。すなわち、レンズ沈胴式のカメラであれば、レンズを撮影可能な初期位置まで繰り出し、またフォーカシングレンズ１ｂやズームレンズ１ａを所定の初期位置に駆動する。
【００３４】
ステップＳ３において制御ユニット２０は、撮影モードと再生モードのいずれが設定されているかを判定する。第１実施形態のカメラでは、電源オン直後は必ず撮影モードが設定され、その後はユーザの手動操作に応じてモード切換えがなされる。制御ユニット２０により、撮影モードが設定されていると判定された場合は、ステップＳ４に進む。ステップＳ４においてライブビュー表示が停止していると判定された場合は、ステップＳ５に進み、制御ユニット２０はライブビュー表示を開始させる。ライブビュー表示は、上述したように撮像と画像表示とを繰り返し行う動作である。ステップＳ６において制御ユニット２０は、ホワイトバランスを自動で設定する処理（ＡＷＢ）を行う。その結果は、ライブビュー表示に反映される。
【００３５】
ステップＳ７において制御ユニット２０は、ユーザによって手動でお願いモードが設定されているか否かを判定し、肯定されるとステップＳ８で制御ユニット２０は「お願いモード処理」を行い、否定されるとステップＳ９に進む。お願いモード処理およびステップＳ１１の非お願いモード処理の詳細は後述する。
【００３６】
ステップＳ９において制御ユニット２０は、予めカメラに登録されている人物が被写体に含まれるか否かを判定する。この判定は、以下のようにして行う。
本カメラは、人物（通常はカメラの所有者）の顔の特徴情報を登録する機能が備わっている。これは、所定の登録モードで人物を撮像すると、その画像データから制御ユニット２０が顔認識処理によって顔の特徴情報を抽出し、図示しないＲＡＭに登録（記録）するというものである。１台のカメラを複数人で使い回すことを考慮し、顔の特徴情報は、複数人分登録できるようにすることが望ましい。
【００３７】
上記ステップＳ９において制御ユニット２０は、ライブビュー画像に対して顔認識処理を実行し、顔が認識されたと判定した場合は、その顔の特徴情報と、上記登録されている顔の特徴情報とを比較し、登録されている人物の少なくともいずれか一人が画像中に存在するか否かを判定する。そして、登録されている顔が画像中に存在すると判定した場合は、手動によるお願いモードが設定されていないときでも、ステップＳ８のお願いモード処理に進む。すなわち、制御ユニット２０はカメラの所有者が被写体として存在すると判定した場合は、カメラ所有者以外の第三者に撮影を依頼したということであるから、予め手動によってお願いモードが設定されていなくてもお願いモード処理を行う。ステップＳ９が否定された場合は、ステップＳ１１で「非お願いモード処理」を行う。
【００３８】
ステップＳ１２において制御ユニット２０は、ズーム操作（ズームボタンの操作）がなされたか否かを判定し、否定されるとステップＳ１４に進み、肯定されるとステップＳ１３に進む。ステップＳ１３において制御ユニット２０は、手動ズームフラグをオンにするとともに、ズーム操作に応じたズーム駆動を行う。手動ズームフラグのオンは、バッファメモリに手動ズームフラグに対応する情報を記録することを意味する。
【００３９】
ステップＳ１４において制御ユニット２０は、レリーズボタンのレリーズ操作（全押し操作）がなされたか否かを判定し、否定されるとステップＳ１５に進み、制御ユニット２０は電源オフ操作の有無を判定する。ステップＳ１５が否定されるとステップＳ３に戻り、肯定されると処理を終了させる。ステップＳ１４でレリーズ操作が判定されると、ステップＳ１６で制御ユニット２０はライブビュー表示を停止させ、ステップＳ１７で制御ユニット２０は撮影処理を行う。撮影処理の詳細は後述する。
【００４０】
一方、ステップＳ３で再生モードと判定された場合はステップＳ１８に進み、ライブビュー表示中であれば、ステップＳ１９で制御ユニット２０はライブビュー表示を停止する。ステップＳ２０において制御ユニット２０は、再生モード処理を行い、次いでステップＳ１５に進む。再生モード処理において、制御ユニット２０は記録媒体に記録された任意の画像ファイルを読み出してモニタ１５に表示させる（詳細は省略）。ステップＳ１５で電源オフ操作が確認されると、以上の一連の撮影シーケンス制御処理を終了させる。
【００４１】
図３はステップＳ８のお願いモード処理の詳細を示している。
ステップＳ８０１およびステップＳ８０２において、制御ユニット２０は、コンティニュアスＡＦ（常時ＡＦ）とＶＲの開始をそれぞれ指示する。これらの開始指示により、ＡＦ動作とＶＲ動作が繰り返し行われる。ステップＳ８０３において、制御ユニット２０は、高速シャッタプログラムＡＥによる露出制御の開始を指示する。これにより高速シャッタプログラム線図にしたがい、測光された輝度に基づいた絞り値とシャッタ秒時が制御値として設定される。ステップＳ８０４では顔認識処理の開始が指示される。この開始指示により、撮影像の中に人物の顔が含まれているか判定し、人物の顔が含まれている場合には人物の顔に適した露出制御や画像処理（現像）が行われる。ステップＳ８０５において、制御ユニット２０は、シーンモードとして「人物＋風景モード」を設定する。上述したように、「人物＋風景モード」は「人物モード」が設定された場合に比べて絞り込んだ撮影を行い、人物と背景の双方にピントを合わせる。これにより、高速シャッタプログラム線図に従い輝度に応じて設定された絞り値が１段絞り込まれる。これらの各ステップにおける制御処理により撮像されて得られた画像はライブビュー表示に反映される。
【００４２】
なお、常時ＡＦ、ＶＲ、高速シャッタプログラムＡＥ、顔認識処理、「人物＋風景モード」、自動ズームの設定状態は、それぞれの機能に予め割り当てられたフラグのセット状態、リセット状態により識別される。自動ズームも同様にフラグにより設定状態が識別される。
【００４３】
ステップＳ８０６において制御ユニット２０は、ピントが合っているか否か、つまりフォーカシングレンズ１ｂが合焦位置にあるか否かを判定する。ステップＳ８０６が否定されるとリターンし、肯定されるとステップＳ８０７で制御ユニット２０は手動ズームフラグのオン・オフを判定する。手動ズームフラグは、当初はオフに設定され、上記ステップＳ１３でオンに設定されるものである。手動ズームフラグがオンであれば既に手動ズーミングが行われているので、自動ズームを行わずにリターンする。
【００４４】
一方、手動ズームフラグがオフであれば、手動ズーミングが行われていないので、自動ズームを行うべくステップＳ８０８に進む。ステップＳ８０８において制御ユニット２０は、フォーカシングレンズ１ｂの位置とズームレンズ１ａによる撮影倍率に基づいて被写体距離を認識し、その被写体距離に基づき、人物が好適なサイズで画面に納まるような撮影レンズ１の焦点距離を演算する。ステップＳ８０９において制御ユニット２０は、演算された焦点距離となるようにズームレンズ１ａを駆動する。その後、リターンする。
【００４５】
図４はステップＳ１１の非お願いモード処理（通常処理）の詳細を示している。
ステップＳ１１０１において制御ユニット２０は、オートシーンモードが設定されているか否かを判定する。オートシーンモードとは、制御ユニット２０が撮影画像を解析してシーンを判別し（シーン解析）、そのシーンに適したＡＥ制御やＡＷＢ制御を行うものである。ステップＳ１１０１が否定されるとステップＳ１１０４に進み、肯定されるとステップＳ１１０２でシーン解析を行い、ステップＳ１１０３でそれに基づく処理を行う。
【００４６】
ステップＳ１１０４において制御ユニット２０は、コンティニュアスＡＦモードが設定されているか否かを判定する。肯定されるとステップＳ１１０５で制御ユニット２０は、コンティニュアスＡＦの開始を指示する。これによりＡＦ動作が繰り返し行われる。ステップＳ１１０４が否定されると、ステップＳ１１０６で制御ユニット２０はレリーズボタンの半押し操作の有無を判定する。半押しされていなければステップＳ１１０７に進む。ステップＳ１１０７において制御ユニット２０によりＶＲがオン設定されていると判定された場合には、ステップＳ１１０８で上記のＶＲ処理を行う。ステップＳ１１０７で制御ユニット２０によりＶＲがオン設定されていないと判定された場合にはステップＳ１１０９に進む。ステップＳ１１０９において制御ユニット２０は、プログラムＡＥ処理を行う。プログラムＡＥの処理内容は、事前の設定に基づく。また、ステップＳ１１１０で制御ユニット２０により顔認識モードが設定されていると判定されると、ステップＳ１１１１で制御ユニット２０は顔認識処理を行う。ステップＳ１１１２で制御ユニット２０により自動ズームがオン設定されていると判定されると、ステップＳ１１１３で制御ユニット２０は、自動ズームを行う。その後、所定のステップにリターンする。
【００４７】
ステップＳ１１０６で半押し操作が判定されると、ステップＳ１１１４において制御ユニット２０は、シングルＡＦを行って被写体にピントを合わせるようシングルＡＦの開始を指示する。これにより、焦点調節演算とレンズ駆動が行われる。シングルＡＦでは、レリーズ半押し操作後に一度ピントが合うと、半押しがなされている間はその状態が維持される。
【００４８】
図５はステップＳ１７の撮影処理の詳細を示している。
Ｓ１７０２において制御ユニット２０はＡＷＢを行う。ステップＳ１７０３において制御ユニット２０は、フォーカシングレンズ１ｂが合焦位置にあるか否かを判定し、否定されると肯定されるまで待つ。上述したように、常時ＡＦが設定されている場合は、直ぐにステップＳ１７０３で制御ユニット２０による判定が肯定される可能性が高い。
【００４９】
なお、お願いモードの設定により、もしくはユーザの設定によりコンティニュアスＡＦが設定されているときは、ステップＳ１７０３において制御ユニット２０によりフォーカシングレンズ１ｂが合焦位置にあることが判定されると、ＡＦ動作をいったん中断する。その後のステップで記録用の被写体像を撮像するためである。したがって、コンティニュアスＡＦが設定されているときに記録用撮像が完了すると、コンティニュアスＡＦが再開される。
【００５０】
ステップＳ１７０３でフォーカシングレンズ１ｂが合焦位置に設定されていると判定されるとステップＳ１７０４に進み、ステップＳ１７０４で制御ユニット２０はお願いモードが設定されているか否かを判定する。ステップＳ１７０４が否定されるとステップＳ１７０４Ａに進み、標準ＡＥを実行する。ステップＳ１７０４が肯定されるとステップＳ１７０４Ｂに進み、高速シャッタプログラムＡＥを実行する。ステップＳ１７０４Ａの後、ステップＳ１７０６に進む。ステップＳ１７０４Ｂの後、ステップＳ１７０５で、制御ユニット２０は、セルフＬＥＤ２１を短時間点灯させる。ＬＥＤ消灯後、ステップＳ１７０６において、制御ユニット２０は、１駒の記録用の画像を取得するための撮像（露光）を行い、その出力データ（記録用の画像データ）に基づいて画像ファイルを生成する。なお、制御ユニット２０により閃光発光条件が成立したと判定された場合は、制御ユニット２０は撮像時に閃光装置２１を発光させる。
【００５１】
ここで、ＬＥＤ点灯により、被撮影者は確かに撮像がなされたことを確認できる。また、撮像のタイミングも把握できるので、再度撮影を依頼するか否かの判断にも役立つ。なお、閃光発光を伴う撮像の場合は、その閃光発光が合図となるので、制御ユニット２０は、敢えてＬＥＤ１２を発光させないよう制御してもよい。
【００５２】
ステップＳ１７０７において制御ユニット２０は、画像ファイルの記録媒体１７への記録を開始する。ステップＳ１７０８において制御ユニット２０は、ステップＳ１７０６で得た記録用の画像データに対応する画像を所定時間だけモニタ１５に表示する。これにより撮影者は、今回撮影した画像を確認できる。
【００５３】
ステップＳ１７０９において制御ユニット２０は、お願いモードが設定されているか否かを判定し、否定されるとステップＳ１７１３に進み、肯定されるとステップＳ１７１０で制御ユニット２０は手動ズームフラグを判定する。手動ズームフラグがオフであればステップＳ１７１３に進み、オンであればステップＳ１７１１で制御ユニット２０はお願いモードを解除する。すなわち、上述したように依頼相手がズーム操作を行った場合は、その人物はある程度撮影熟練度が高く、１回の撮影で満足な撮像結果が得られた可能性が高い。したがって、この場合（手動ズームフラグがオンの場合）は、お願いモードを解除する。一方、そうでない場合は、相手の撮影熟練度が低いかも知れないので、念のためにもう一度撮影を依頼する可能性を考えてお願いモードを維持する。
【００５４】
お願いモードを解除した後は、ステップＳ１７１２で制御ユニット２０はズームフラグをオフし、ステップＳ１７１３で制御ユニット２０は画像ファイルの記録媒体１７への記録が完了したか否かを判定し、完了したと判定した場合はリターンし、完了していない場合にはステップ１７１３の処理を繰り返す。
【００５５】
以上説明したカメラを一例とした第１実施形態の撮像装置によれば以下のような作用効果を奏することができる。
（１）撮像依頼モード、例えばお願いモードが設定されている場合に、ユーザが予め設定することなく像ブレを抑制する動作を行うようにした。たとえば、ＶＲにより撮像素子上での像振れを抑制する動作、高速シャッタプログラムＡＥによる露出制御を行い、より高速側のシャッタ速度で撮像を行うようにした。したがって、カメラユーザが第三者にカメラを手渡して撮影を依頼したときに、撮影者が種々の設定を行うことなく、像ブレの少ない画像を得ることができる。
【００５６】
（２）予めカメラに登録された人物が被写体として存在するか否かを判定し、登録された人物が被写体として存在すると判定した場合に、ユーザが意図的に撮像依頼モードを設定することなく撮像依頼モードを設定するようにした。したがって、カメラに登録されたカメラ所有者やその家族などが被写体内に存在する場合は撮像依頼モードによる撮影が自動的に行われる。このような自動設定機能を付加したので、カメラを手渡された撮影者が初心者であったり、撮像依頼モード自体の存在を知らない場合でも、確実に像振れの少ない画像を得ることができる。
【００５７】
（３）像ブレを抑制する動作として（ａ）撮像装置の振れを検出し、その検出結果に基づいて像振れ補正部材を光軸と交差する方向に駆動する動作、（ｂ）露光時間が通常よりも短くなるように露出パラメータを設定する露出制御動作、例えば高速シャッタプログラムＡＥ、（ｃ）撮像指示に先立って自動焦点調節を繰り返し行う自動焦点調節動作、たとえばコンティニュアスＡＦを挙げることができる。第１実施形態では、（ａ）〜（ｃ）の全てを行うようにした。このため、第１実施形態では、確実に像振れを抑制することができる。
なお、一般的なデジタルカメラにおける撮影手順は、まずレリーズボタンを半押し操作して撮影準備を整え、ピントが合ったことを確認してから全押し操作して撮像を行うというものである。しかし、撮影に不慣れな者はこの２段階操作を知らず、撮影の際にレリーズボタンを一気に全押し操作（以下、一気押し）する傾向がある。第１実施形態におけるフレーミングエラーを抑制する動作として、コンティニュアスＡＦが挙げられる。コンティニュアスＡＦにより、レリーズ半押し前にピントを合わせておくことができる。これにより、撮影に不慣れな者が一気押しをしたとしても、すぐにピントが合い撮影までのタイムラグが少なく、撮影完了前に撮影できたと勘違いしてカメラを動かしてしまうことを防ぐことができる。
【００５８】
−第２実施形態−
次に、第２実施形態を説明する。
撮影に不慣れな者が一気押しした場合は、その時点ではまだ被写体にピントが合っていないことが多く、ピントが合うまでの時間を待って、例えば図５のステップＳ１７０３が肯定判定されるまで待機してから撮像が行われるため、レリーズタイムラグが長くなり、像振れが生じるおそれが高まる。上述した常時ＡＦによりこのおそれは減るものの、完全ではなく、ＶＲや高速シャッタプログラムＡＥを併用した方が安全である。とくにシングルＡＦが設定されているときはタイムラグが長くなる。
【００５９】
一方、撮影を依頼した相手がある程度以上の熟練者であった場合は、２段階操作を知っており、レリーズタイムラグを最小限に抑えられる。加えて、カメラの正しい構え方や、像振れ防止の意識もあり、ＶＲや高速シャッタプログラムＡＥは敢えて行わずとも像振れを抑えられる可能性が高い。そこで本実施形態では、撮影依頼相手の熟練度の高低を制御ユニット２０が推定し、その結果によって制御を変える。以下、その詳細を説明する。
【００６０】
図６〜図８は第２実施形態における制御ユニット２０の処理手順を示している。制御ユニット２０は、図６〜図８に示す処理を実行するためのプログラムをフラッシュＲＯＭ１１から読み出し実行する。
図６はメインのフローチャートを示し、図２と同様のステップには同一のステップ番号を付してある。また、不図示の部分は図２と共通である。
【００６１】
図７は図６のお願いモード処理２（ステップＳ２８）の詳細を示し、これは図３からステップＳ８０１〜Ｓ８０３を除いたものである。すなわち、お願いモードが設定された時点では、制御ユニット２０によるコンティニュアスＡＦ、ＶＲ、高速シャッタプログラムＡＥの制御開始指示が行われない。
【００６２】
図６において、ステップＳ５１では制御ユニット２０は半押し操作の有無を判定する。半押し操作がなされていないと判定した場合はステップＳ１５に進み、なされていると判定した場合はステップＳ５２〜Ｓ５４でＡＥ，ＡＷＢ、ＡＦの各処理を行う。ステップＳ５２において制御ユニット２０は、ユーザが予め設定した露出モード（プログラム、シャッタ優先、絞り優先など）によるＡＥ制御開始を指示する。ステップＳ５３において制御ユニット２０は、ユーザが予め設定したＡＷＢモードによるホワイトバランス制御開始を指示する。ステップＳ５４において制御ユニット２０は、ユーザが予め設定したＡＦモード（コンティニュアスＡＦ、シングルＡＦなど）によるＡＦ制御開始を指示する。これらの指示により、制御ユニット２０はＡＥ制御処理、ホワイトバランス制御処理、ＡＦ制御処理を行う。
【００６３】
ステップＳ１４で制御ユニット２０はレリーズ操作（全押し操作）の有無を判定する。制御ユニット２０によりレリーズ操作（全押し操作）がなされていないと判定された場合、処理はステップＳ５５に進む。ステップＳ５５において制御ユニット２０は、半押し操作の有無を判定する。半押し操作がなされていないと判定した場合はステップＳ１５に進み、なされていると判定した場合はステップＳ１４に進む。
【００６４】
図８は図６の撮影処理２（ステップＳ２７）の詳細を示し、これは図５の一部を変更したものである。図５と同様のステップには同一のステップ番号を付し、相違点を主に説明する。
ステップＳ２７０１において制御ユニット２０は、フォーカシングレンズ１ｂが合焦位置にあるか否かを判定する。換言すると、既に被写体にピントが合っているか否か（合焦か否か）を判定する。全押し操作直後の判定でピントが合っているということは、撮影者はいったん半押しし、ピントが合ったことを確認してから全押し操作した可能性が高い。一方、全押し操作直後の判定でピントが合っていないということは、撮影者は半押し操作を維持せずにレリーズボタンを一気押しした可能性が高い。
【００６５】
そこで、ステップＳ２７０１が否定された場合はステップＳ２７０２に進み、制御ユニット２０はお願いモードであるか否かを判定する。お願いモードであると判定された場合には、ステップＳ２７０３，Ｓ２７０４において制御ユニット２０は、ＶＲによる像振れ補正処理の開始を指示するとともに、高速シャッタプログラムＡＥによる露出制御の開始を指示する。これによりＶＲ、高速シャッタプログラムＡＥが行われる。お願いモードでないと判定された場合には、ステップS２７０１に進み、引き続き合焦判定を行う。
【００６６】
ステップＳ２７０１においてピントがあっていると判定されないときは、ユーザがレリーズボタンを一気押しした可能性が高いと推定する。すなわち、カメラを熟知していないユーザがカメラを使用していると推定する。そこで、ステップＳ２７０４に続くステップＳ２７０５では、撮影者の熟練度が低いことを示すフラグ（熟練度低フラグ）をオンに設定する。熟練度低フラグのオンは、バッファメモリに熟練度低フラグに対応する情報を記録することを意味する。その後、ステップＳ２７０１に進み、合焦を待ってステップＳ１７０４に進む。
【００６７】
一方、全押し操作直後の判定でステップＳ２７０１が肯定された場合、つまり撮影を依頼した相手が熟練者である可能性が高い場合は、制御ユニット２０はＶＲによる像振れ補正処理および高速シャッタプログラムＡＥによる露出制御を行わず、また熟練度低フラグはオフに維持する。ＶＲを行わないことで電力消費が抑えられ、また高速シャッタプログラムＡＥを行わないことで、感度アップによるノイズの発生を抑制できる。
【００６８】
ステップＳ１７１０で手動ズームフラグがオフと判定された場合、ステップＳ２７０６で制御ユニット２０は熟練度低フラグを判定する。熟練度低フラグがオフであれば、１回の撮影で満足な撮像結果が得られた可能性が高いため、ステップＳ１７１１で制御ユニット２０はお願いモードを解除する。熟練度低フラグがオンの場合は、相手の撮影熟練度が低いかも知れないので、念のためにもう一度撮影を依頼する可能性を考えて、制御ユニット２０はお願いモードを維持する。
【００６９】
以上説明したカメラを一例とした第２実施形態の撮像装置によれば、第１実施形態の作用効果に加えて以下のような作用効果を奏することができる。
（１）撮像依頼モードが設定されている場合において、像振れを抑制する動作を常に行わず、撮像指示がなされた時点で、自動焦点調節動作が完了していないと判定され場合、例えば合焦されていないと判定された場合に像振れを抑制する動作を行うようにした。したがって、その後の自動焦点調節動作の完了（合焦判定）が速やかに行われ、タイムラグが短縮化される。
例えば、カメラを熟知していないユーザがレリーズボタンを一気に押込操作したときは、レリーズ全押し操作しても合焦するまでは記録用撮像が開始されないので、とくにシングルＡＦモードが設定されている場合には撮影タイムラグが発生する。そのため、撮像依頼モードが設定されている場合において、レリーズ全押し操作直後の合焦判定が否定された場合に像振れを抑制する動作を行い、その後に再度合焦判定を行うようにした。したがって、レリーズボタンの一気押しにより撮影像が振れていても像振れが抑制され、合焦判定が速やかに行われ、タイムラグが短縮化される。
また、撮像依頼モード設定で直ちにＶＲ、コンティニュアスＡＦを行わないので、消費電力を削減できる効果もある。
【００７０】
（２）撮像依頼モードが設定されている場合において、撮像指示がなされた時点で自動焦点調節動作が完了していないと判定されることなく記録用の撮像が行われたときは、カメラを熟知した者が撮影していると推定し、記録用の撮像が終了した後に撮像依頼モードの設定を解除するようにした。カメラを熟知している撮影者にとって、撮像依頼モードが設定されていると、自ら選択する構図設定変更操作が面倒となることがある。第２実施形態によれば、このような煩雑な操作から解放される。
【００７１】
−変形例−
以上説明した実施形態を次のように変形して実施することもできる。
（１）第１実施形態では、撮影時に手動ズーム操作が行われたときにお願いモード（撮像依頼モード）の設定を解除するようにしたが、１駒の撮影が完了すると、自動的にお願いモードの設定を解除し、お願いモードが設定操作される以前の設定に戻すようにしてもよい。これによれば、モードの切換え忘れによる不所望な写真撮影や、無駄な電力消費を防止できる。
【００７２】
（２）第１実施形態では、制御ユニット２０が手動ズーム操作の有無を判定し、手動ズーム操作が行われたと判定すると、制御ユニット２０がお願いモードを解除するようにした。お願いモードによる撮像に際して、撮影者によりＡＦ設定変更操作、露出制御値変更操作が行われた場合、制御ユニット２０がお願いモードを解除するようにしてもよい。
【００７３】
（３）第１実施形態では、お願いモード時に手動ズーム操作が行われない場合に自動ズーム処理を行うようにしたが、自動ズームの後に撮影を依頼した相手が手動によるズーム操作を行ったと制御ユニット２０が判定した場合は、そのズーム操作によって変更された画角を優先し、以降、制御ユニット２０は自動ズームは行わないようにしてもよい。すなわち、ズーム操作を行う人物は、撮影熟練度がある程度高いと考えてよく、自動ズームの微調整を含めて画角を適正に設定できる可能性が高いため、画角の設定は撮影者のお任せとする。
【００７４】
（４）また、同様のことが画角以外の撮像条件にも適用できる。すなわち、絞り値や露光時間、感度ゲインの各値（露出条件）が自動で設定された後に、撮影を依頼された人物がいずれかの露出条件を変更する手動操作（条件設定操作）を行った場合は、その人物はある程度熟練度が高いと考えてよいから、制御ユニット２０はその手動操作に応じて露出条件の設定値を変更するようにしてもよい。
【００７５】
（５）あるいは、コンティニュアスＡＦ（常時ＡＦ）モードが自動設定された後、撮影を依頼された人物がコンティニュアスＡＦモードからシングルＡＦモードに切換える手動操作を行った場合は、制御ユニット２０はシングルＡＦモードで焦点調節を行うようにしてもよい。
【００７６】
（６）さらに、撮影を依頼された人物が、制御ユニット２０によりＡＦが行われた後に手動で焦点調節状態を変更する操作を行った場合は、制御ユニット２０は、その変更操作による焦点調節状態の変更を許容するようにしてもよい。
【００７７】
このように、他人に撮影を依頼する際にお願いモードを設定した場合であっても、熟練度が高い撮影者が行った撮影と推測できる場合は、その撮影者が設定変更した画角、露出条件、ＡＦモード、焦点調節状態で撮影を行うことができるので、熟練者が意図した構図で撮影することを妨げない。したがって、熟練者が撮影する際に素人のような失敗写真となることを防止することができる。
【００７８】
（７）第１および第２実施形態では、お願いモードが設定されていれば、登録されている顔が画像中に存在しない場合でもお願いモード処理を行うようにしたが、ユーザによりお願いモード設定操作が行われていること、および、カメラに登録された人物が被写体内に存在することが判定されことを条件としてカメラがお願いモードによる撮像を行うようにしてもよい。この変形例によれば、お願いモードの設定操作が行われていても、登録された人物を含まない被写体撮影時には、お願いモードによる像振れ抑制動作が行われない。したがって、お願いモードの設定解除操作を忘れた場合でも、撮影者が意図した風景等の画像を得ることができる。
【００７９】
（８）像ブレを抑制する動作として、（ａ）撮像装置の振れを検出し、その検出結果に基づいて像振れ補正部材を光軸と交差する方向に駆動する動作、（ｂ）露光時間が通常よりも短くなるように露出パラメータを設定する露出制御動作、（ｃ）撮像指示に先立って自動焦点調節を繰り返し行う自動焦点調節動作、たとえばコンティニュアスＡＦを挙げた。第１実施形態では（ａ）〜（ｃ）の全てを行うようにしたが、（ａ）だけ、（ｂ）だけ、（ａ）と（ｂ）の組合せ、（ａ）と（ｃ）の組合わせ、（ｂ）と（ｃ）の組合せのいずれかにより像振れ抑制動作を行うようにしてもよい。
【００８０】
（９）第１実施形態では、お願いモードが設定されたとき、上記（ａ）〜（ｃ）に加えて、（ｄ）顔認識処理、（ｅ）「人物+風景シーンモード」の設定、（ｆ）自動ズームも同時に行うようにした。お願いモード設定時に像振れ抑制動作のみを行い、（ｄ）〜（ｆ）を行わないようにしてもよい。あるいは、（ｄ）〜（ｆ）のいずいれかひとつ、いずれか二つを使用してもよい。
（１０）第２実施形態では、お願いモードが設定されたとき、（ｄ）顔認識処理、（ｅ）「人物+風景シーンモード」の設定を行い、レリーズ操作直後に合焦判定されないときに像振れ抑制動作として、（ａ）と（ｂ）を行うようにした。この場合、合焦判定されないときに（ａ）〜（ｃ）を行うようにしてもよい。
【００８１】
（１１）第２実施形態では、レリーズ操作直後（ステップＳ２７０１）の合焦判定が否定されたときに熟練度が低いユーザと推定するようにした。レリーズ半押し操作開始から全押し操作が開始されるまでの時間を計測し、計測時間が予め定めた所定時間以内であるときに熟練度が低いユーザと推定してもよい。
【００８２】
なお、本実施形態のカメラには、非お願いモード（以下、標準使用モードＡ）と簡単撮影モード（以下、簡単撮影モードＢ）とを設け、撮影技術の低い撮影者用モードとして簡単撮影モードＢを使用可能な機能を備えて、撮影依頼モードを構成したが、撮影を依頼する専用のモードである撮影依頼モード以外に上記の機能を備えても良い。
例えばキッズモードとして、子供が使用するときのモードを構成し、キッズモードは標準使用モードＡと簡単撮影モードＢを使用可能な機能を備えていても良い。これにより、標準撮影モードＡは通常にカメラを使用するモードとして、簡単撮影モードＢはカメラに設定をお任せするお任せモードとして使用することができ、例えば、撮影モードＢは結婚式やパーティの際に多くの枚数を撮影するときに使用しても良いし、撮影モードＡではゆっくり時間を掛けて撮影する際に使用しても良い。
なお、本発明は上記の実施形態に限定されるものではない。例えば、レンズ交換式のカメラシステムやカメラ付き携帯電話機にも本発明を適用可能である。
【符号の説明】
【００８３】
１  撮影レンズ
１ａ  ズームレンズ
１ｂ  フォーカシングレンズ
１ｃ  像振れ補正レンズ
８  撮像素子
９  映像回路
２０  制御ユニット
２１  セルフＬＥＤ
【図１】
2013175920.tif 000003
【図２】
2013175920.tif 000004
【図３】
2013175920.tif 000005
【図４】
2013175920.tif 000006
【図５】
2013175920.tif 000007
【図６】
2013175920.tif 000008
【図７】
2013175920.tif 000009
【図８】
2013175920.tif 000010